(57)【要約】      （修正有）【課題】時間、場所、状況或いは気分に対応して、個人的に作成した装飾物を気軽に付け替え可能とした枠体を提供する。【解決手段】枠１は、装飾物が施された装飾チップと、装飾チップを載置し、中央部が開口した上枠１０と、同じく中央部が開口した下枠２０とを有し、上下枠がピンによりスライド的に開放され、また閉じた際には各枠に設けられたリング４０、５０の透孔にスライドリングを貫通できるようにした。【選択図】図１
0003133190.tif 000002
【実用新案登録請求の範囲】
【請求項１】
表裏面に装飾物が施された装飾チップを載置する溝が設けられ、当該装飾チップを積載した際に一方の面の装飾物のが露出する開口を有する上枠と、前記装飾チップの他方の面の装飾物が見えるように開口した下枠と、該上枠と下枠を回転スライドするように保持するピンと、該ピンの位置とは異なる該上枠と下枠の外周上の対応する位置にそれぞれ設けられたリングとを有し、該それぞれ設けられたリングの透孔を貫通するようにスライドリングを設置することにより、該上枠と下枠とを閉じることを特徴とする枠体。
【請求項２】
前記ピンは、その上下が上枠と下枠を貫通する穴の径より大きいことを特徴とする請求項１記載の枠体。
【考案の詳細な説明】
【技術分野】
【０００１】
本考案は、装飾が施されたチップの交換が可能な枠体に関する。
【背景技術】
【０００２】
イヤリング等の装飾品は高価なものが多く、時間、場所、状況或いは気分に対応して(所謂TPOに応じて)それらを複数所有するには経済的な負担が大きい。これに対して、個人的に作成した装飾物を付け替え可能としたイヤリングやピアスが提案されている。
【０００３】
例えば、個人的に作成した装飾が立体的なものであっても、その質感をそのままに装飾物として、かつその装飾物を交換可能としたものが知られている(特許文献1)。この例においては、基台と枠体とが丁番や磁石を用いて開閉自在とされ、装飾プレートを基台の凹状に嵌め込んで載置し、枠体を閉じてイヤリングとなすものである。
【特許文献１】特開２００６−５５３６４号公報
【考案の開示】
【考案が解決しようとする課題】
【０００４】
しかしながら、上記したイヤリングは、基台と枠体との開閉に丁番を利用しており、イヤリングに使用するような小型の丁番が高価であるため、全体が高価なものとなる。枠自体が高価であると、手軽さが失われ、そもそも自分自身で、装飾物を作ろうという発想が失われてしまう。
【０００５】
また、磁石を用いる場合には、イヤリングに使用するような小型の磁石は、磁力が弱く、衝撃により折角の装飾物が落下しかねない。
【０００６】
本考案は、上記の課題に鑑みてなされたものであり、TPOに合わせて立体的な装飾物を含む色々な装飾物を安価に手軽に選択でき、且つ、施された装飾物を直に鑑賞できる枠体を提供することを目的とする。
【課題を解決するための手段】
【０００７】
本考案の枠体は、表裏面に装飾物が施された装飾チップを載置する溝が設けられ、当該装飾チップを積載した際に一方の面の装飾物のが露出する開口を有する上枠と、前記装飾チップの他方の面の装飾物が見えるように開口した下枠と、該上枠と下枠を回転スライドするように保持するピンと、該ピンの位置とは異なる該上枠と下枠の外周上の対応する位置にそれぞれ設けられたリングとを有する。このように、それぞれ設けられたリングの透孔を貫通するようにスライドリングを設置して、該上枠と下枠とを閉じ、これを耳の鳩目に連結可能とした。
【考案の効果】
【０００８】
本考案の枠体によれば、TPOに合わせて装飾チップを交換することが可能であり、かつ装飾チップの片面ではあるが、立体的な装飾物を付けることもでき、しかも、極めて安価に構成できる。
【考案を実施するための最良の形態】
【０００９】
以下、本考案の実施の形態に係る枠体について図面に基づいて説明する。
図1は、本実施形態に係る枠体１を示すものである。枠体1は、外内周が同一形状であって、合わせたときに互いに重なり合う上枠10と下枠20、及び上枠10と下枠20がイ方向に回転スライドするように中心軸となるピン30により構成される。上枠10と下枠20の素材として、母材の表面にメッキを施したものを用いることができる。
【００１０】
ピン30は、枠体1に打ち込まれて、略リベット形状により上枠10と下枠20とを連結したものであり、上枠10と下枠20とが回転スライドすることを許容している。ピン30の上下が上枠10と下枠20を貫通する穴の径より大きくなって、上枠10と下枠20を連結するため、製造コストを極めて抑えることができる。また、上枠10及び下枠20の相対する位置の左肩部に、夫々リング40、50を有している。このリング40、50は、別途用意されるスライドリングが貫通する透孔を有している。
【００１１】
下枠20の内周には、内周全域にわたり溝11が設けられている。溝の深さは、後述する装飾チップの板厚よりも深いことが望ましい。図2にA-A’面で下枠20を切断した断面図を示す。
【００１２】
尚、図1では判りにくいが、上枠10も下枠20も内部12、22は開口部となっている。
【００１３】
図3に装飾チップ30を示す。装飾チップ30は、下枠20の溝21の外周に若干のクリアランスをもって合わせた大きさの板材であって、装飾チップ30の表裏面に対して装飾を施すことが可能である。装飾としては、例えばネールアートによる装飾とか、接着剤により宝石やビーズ等を貼付けて立体装飾を施すことができる。このような装飾チップを複数枚用意しておけば、TPOに合わせて装飾チップ30を交換してお洒落を楽しむことができる。
【００１４】
このような装飾チップ30を下枠20の溝21に載置した場合、クリアランスが若干であるので、がたつくことは無い。
【００１５】
下枠20の開口22は、装飾チップ30の立体的な装飾を受けるものである。よって、立体的な装飾は、開口22の外周の範囲内に施す必要がある。さもないと、溝21に立体的な装飾が干渉する。下枠20の開口22は、装飾チップの平面的な装飾を受けることは、当然に可能である。
【００１６】
下枠20の開口22は、装飾チップ30の平面的な装飾を受けるものである。下枠20の上を上枠10が回転スライドすることにより、立体的な装飾物は上枠10が干渉するからである。
【００１７】
平面的な装飾物といっても、全く厚みが無い装飾物という意味ではない。溝21の深さと装飾チップ30の厚さの若干な相異によりある程度の厚さは許容される。
【００１８】
以下、枠体1の使用方法について説明する。装飾物が表裏面に施された装飾チップを下枠20の溝21に嵌め込んで載置する。次いで、下枠20と上枠10とをピン30を中心として回転スライドして閉じて、リング40と50の位置関係を合わせる(図4参照)。この状態において、装飾チップ30の周囲は、上枠10と下枠20によって保持される。
【００１９】
その後、リング40とリング50を透孔を貫通するように、スライドリング50を装着する。スライドリング50は、周知のようにつまみ51を円周方向に動かすことにより、スライドリング50の一部52が開放されるものである。このスライドリング50を装着することにより、上枠10と下枠20が自然に開放することが抑止される。
【００２０】
スライドリング50を、耳を貫通する鳩目に連結すれば、全体としてイヤリングとなる。
【００２１】
図5は、スライドリング50を装着した枠体1を示す。
【００２２】
以上の説明からも明らかなように、本実施の形態に係る枠体１によれば、TPOに合わせて装飾チップ30を交換することが可能であり、かつ装飾チップ30の片面ではあるが、立体的な装飾物を付けることができ、しかも、極めて安価に構成できる。
【００２３】
なお、図示した例では、いわゆるハート型の枠体1を示したが、その形状は任意であり、例えば、は、円形、四角形等の多角形、星形等の形体をしていてもよい。
【図面の簡単な説明】
【００２４】
【図１】上枠10と下枠20を展開した図
【図２】下枠20のA-A断面図
【図３】装飾チップ30を示す図
【図４】上枠10と下枠20を合わせた図
【図５】枠体1を示す図
【符号の説明】
【００２５】
枠体      1
上枠      10
下枠      20
装飾チップ    30
【図１】
0003133190.tif 000003
【図２】
0003133190.tif 000004
【図３】
0003133190.tif 000005
【図４】
0003133190.tif 000006
【図５】
0003133190.tif 000007